【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
光源からの光を光記録媒体の情報記録層に照射するための対物レンズと、
前記光記録媒体からの反射光を複数の光束に分割し、回折させる回折光学素子と、
前記回折光学素子によって回折された光束を受光する光検出器と、を備え、
前記光検出器は、
前記回折光学素子によって生成された回折光であって、前記反射光の中央領域の回折光である第１の回折光を検出する第１の光検出部と、
前記反射光の中央領域の回折光であって、前記第１の回折光とは次数が異なる第２の回折光を検出する第２の光検出部と、を備え、
前記光検出器は、前記第２の回折光の検出量に応じた信号であって、組立て調整用の信号を生成するための第１の検出信号と、前記第１の回折光の検出量に応じた信号であって、情報記録再生及びフィードバック制御用の信号を生成するための第２の検出信号とを出力することを特徴とする光ピックアップ。
【請求項２】
請求項１において、
前記回折光学素子は、前記光記録媒体からの反射光の中央領域の光を前記光記録媒体の半径方向（Rad方向）に回折させ、前記第１の回折光の光強度が前記第２の回折光の光強度よりも大きくなるように前記第１及び第２の回折光を生成する第１の領域を有することを特徴とする光ピックアップ。
【請求項３】
請求項２において、
前記回折光学素子は、前記反射光に含まれるプッシュプルパターンを全て透過させる第２の領域を有し、当該第２の領域を透過する光を前記光記録媒体のトラッキング方向（Tan方向）に回折させ、フォーカスエラー信号を生成するために用いられる第３の回折光と、トラッキングエラー信号のAC成分を生成するために用いられる第４の回折光を生成することを特徴とする光ピックアップ。
【請求項４】
請求項３において、
前記回折光学素子における前記第１及び第２の領域以外の第３の領域は、前記反射光を前記Tan方向に回折させ、トラッキングエラー信号のDC成分を生成するために用いられる第５及び第６の回折光を生成することを特徴とする光ピックアップ。
【請求項５】
請求項１において、
前記光検出器は、さらに、複数の情報記録層を有する光記録媒体における非対象層からの反射迷光を検出する第３の光検出部を備え、迷光成分を算出するための第３の検出信号を出力することを特徴とする光ピックアップ。
【請求項６】
請求項４において、
前記光検出器は、さらに、前記第３乃至第６の回折光をそれぞれ検出する第４乃至第７の光検出部を備え、
前記第４乃至第７の光検出部は、複数の情報記録層を有する光記録媒体における非対象層からの反射迷光を受光せずに対象層からの反射光を受光するように配置されていることを特徴とする光ピックアップ。
【請求項７】
請求項１において、
前記回折光学素子は、第１及び第２の機能を有し、
前記光ピックアップは、さらに、前記回折光学素子の前記第１及び第２の機能の間で機能を切り替えるための切替素子を備え、
前記第１の機能が選択されている場合、前記光検出器は、前記第２の回折光の検出量に応じた信号であって、組立て調整用の信号を生成するための第１の検出信号を出力し、
前記第２の機能が選択されている場合、前記光検出器は、前記第１の回折光の検出量に応じた信号であって、情報記録再生及びフィードバック制御用の信号を生成するための第２の検出信号を出力することを特徴とする光ピックアップ。
【請求項８】
光源からの光を光記録媒体の情報記録層に照射するための対物レンズと、
前記光記録媒体からの反射光を複数の光束に分割し、回折させる回折光学素子であって、第１及び第２の機能を有する回折光学素子と、
前記回折光学素子の前記第１及び第２の機能の間で機能を切り替えるための切替素子と、
前記回折光学素子によって回折された光束を受光する光検出器と、を備え、
前記第１の機能が選択されている場合、前記光検出器は、前記第１及び第２の回折光の検出量に応じた信号であって、組立て調整用の信号の信号を生成するための第１の検出信号、又は、前記第１の回折光の検出量に応じた情報記録再生用の第２の検出信号を出力し、
前記第２の機能が選択されている場合、前記光検出器は、前記第１の回折光の検出量に応じた信号であって、情報記録再生及びフィードバック制御用の信号を生成するための第３の検出信号を出力することを特徴とする光ピックアップ。
【請求項９】
請求項８において、
前記光検出器は、さらに、複数の情報記録層を有する光記録媒体における非対象層からの反射迷光を検出する第３の光検出部を備え、迷光成分を算出するための第４の検出信号を出力することを特徴とする光ピックアップ。
【請求項１０】
光源からの光を光記録媒体の情報記録層に照射するための対物レンズと、
前記光記録媒体からの反射光を複数の光束に分割し、回折させる回折光学素子とであって、第１及び第２の機能を有する回折光学素子と、
前記回折光学素子の前記第１及び第２の機能の間で機能を切り替えるための切替素子と、
前記回折光学素子によって回折された光束を受光する光検出器と、を備え、
前記回折光学素子は、前記第１の機能として作用する場合、前記反射光を複数の光束に分割して回折させ、前記第２の機能として作用する場合、前記反射光の中央領域の光を他の領域とは異なる方向に回折させ、
前記光検出器は、
前記第１の機能として作用する場合の前記回折光学素子の０次回折光（第１の回折光）を検出する第１の光検出部と、
前記第２の機能として作用する場合の前記回折光学素子の前記反射光の中央領域の回折光であって、０次以外の回折光（第２の回折光）を検出する第２の光検出部と、
前記第１の機能として作用する前記回折光学素子の０次以外の回折光（第３の回折光）と、前記第２の機能として作用する前記回折光学素子の回折光であって、前記第２の回折光の次数とは異なり０次以外の回折光（第４の回折光）と、を検出する第３の光検出部と、を備え、
前記第１の機能が選択されている場合、前記光検出器は、前記第１の回折光の検出量に応じた信号であって、組立て調整用の信号の信号を生成するための第１の検出信号、又は、前記第３の回折光の検出量に応じた情報記録再生及びフィードバック制御用の第２の検出信号を出力し、
前記第２の機能が選択されている場合、前記光検出器は、前記第２及び第４の回折光の検出量に応じた信号であって、情報記録再生及びフィードバック制御用の信号を生成するための第３の検出信号を出力することを特徴とする光ピックアップ。
【請求項１１】
光源からの光を光記録媒体の情報記録層に照射するための対物レンズと、
前記光記録媒体からの反射光を複数の光束に分割し、回折させる回折光学素子とであって、第１及び第２の機能を有する回折光学素子と、
前記回折光学素子の前記第１及び第２の機能の間で機能を切り替えるための切替素子と、
前記回折光学素子によって回折された光束を受光する光検出器と、を備え、
前記回折光学素子は、前記第１の機能として作用する場合、前記反射光を複数の光束に分割して回折させ、前記第２の機能として作用する場合、前記反射光の中央領域の光を他の領域とは異なる方向に回折させ、
前記光検出器は、
前記第１の機能として作用する場合の前記回折光学素子の０次回折光（第１の回折光）を検出する第１の光検出部と、
前記第２の機能として作用する場合の前記回折光学素子の前記反射光の中央領域の回折光であって、０次以外の回折光（第２の回折光）を検出する第２の光検出部と、
前記第１の機能として作用する前記回折光学素子の０次以外の回折光（第３の回折光）と、前記第２の機能として作用する前記回折光学素子の回折光であって、前記第２の回折光とは回折角が異なる０次以外の回折光（第４の回折光）と、を検出する第３の光検出部と、を備え、
前記第１の機能が選択されている場合、前記光検出器は、前記第１の回折光の検出量に応じた信号であって、組立て調整用の信号の信号を生成するための第１の検出信号、又は、前記第１及び第３の回折光の検出量に応じた情報記録再生及びフィードバック制御用の第２の検出信号を出力し、
前記第２の機能が選択されている場合、前記光検出器は、前記第２及び第４の回折光の検出量に応じた信号であって、情報記録再生及びフィードバック制御用の信号を生成するための第３の検出信号を出力することを特徴とする光ピックアップ。
【請求項１２】
光源からの光束を光ディスクの情報記録層に照射するための対物レンズと、前記光ディスクからの反射光を複数の光束に分割し、回折させる回折光学素子と、前記回折光学素子によって回折された光束を受光する光検出器と、を有する光ピックアップと、
前記光検出器からの検出信号に基づいて、情報記録再生信号、及び制御信号を生成する信号処理回路と、
前記制御信号に基づいて前記光ピックアップをフィードバック制御する駆動制御部と、を備え、
前記光ピックアップの前記光検出器は、前記回折光学素子によって生成された回折光であって、前記反射光の中央領域の回折光である第１の回折光を検出する第１の光検出部と、前記反射光の中央領域の回折光であって、前記第１の回折光とは次数が異なる第２の回折光を検出する第２の光検出部と、を備え、
前記光検出器は、前記第２の回折光の検出量に応じた信号であって、組立て調整用の信号を生成するための第１の検出信号と、前記第１の回折光の検出量に応じた信号であって、情報記録再生及びフィードバック制御用の信号を生成するための第２の検出信号とを出力し、
前記信号処理回路は、前記第１の検出信号に基づいて前記回折光学素子と前記光検出器との位置関係を調整するための位置調整用制御信号と、前記第２の検出信号に基づいて前記情報記録再生信号及びサーボ信号と、を生成し、
前記駆動制御部は、前記位置調整用制御信号及び前記サーボ信号に基づいて前記光ピックアップ内の前記回折光学素子と前記光検出器の位置を調整し、前記サーボ信号に基づいてフォーカス制御及びトラッキング制御を実行する、ことを特徴とする光情報記録再生装置。
【請求項１３】
請求項１２において、
前記光検出器は、さらに、複数の情報記録層を有する光記録媒体における非対象層からの反射迷光を検出する第３の光検出部を備え、迷光成分を算出するための第３の検出信号を出力し、
前記信号処理回路は、前記第３の検出信号に基づいて前記迷光成分を算出し、前記情報記録再生信号から前記迷光成分を減算することにより、前記光記録媒体の対象層に起因する情報記録再生信号を生成する、ことを特徴とする光情報記録再生装置。
【請求項１４】
請求項１２において、
前記回折光学素子は、第１及び第２の機能を有し、
前記光ピックアップは、さらに、前記回折光学素子の前記第１及び第２の機能の間で機能を切り替えるための切替素子を備え、
前記第１の機能が選択されている場合、前記光検出器は、前記第２の回折光の検出量に応じた信号であって、組立て調整用の信号を生成するための第１の検出信号を出力し、
前記第２の機能が選択されている場合、前記光検出器は、前記第１の回折光の検出量に応じた信号であって、情報記録再生及びフィードバック制御用の信号を生成するための第２の検出信号を出力する、ことを特徴とする光情報記録再生装置。
【請求項１５】
光源からの光束を光ディスクの情報記録層に照射するための対物レンズと、前記光ディスクからの反射光を複数の光束に分割し、回折させる回折光学素子であって、第１及び第２の機能を有する回折光学素子と、前記回折光学素子の前記第１及び第２の機能の間で機能を切り替えるための切替素子と、前記回折光学素子によって回折された光束を受光する光検出器と、を有する光ピックアップと、
前記光検出器からの検出信号に基づいて、情報記録再生信号、及び制御信号を生成する信号処理回路と、
前記制御信号に基づいて前記光ピックアップをフィードバック制御する駆動制御部と、を備え、
前記光ピックアップの前記光検出器は、前記回折光学素子によって生成された回折光であって、前記反射光の中央領域の回折光である第１の回折光を検出する第１の光検出部と、前記反射光の中央領域の回折光であって、前記第１の回折光とは次数が異なる第２の回折光を検出する第２の光検出部と、を備え、
前記第１の機能が選択されている場合、前記光検出器は、前記第１及び第２の回折光の検出量に応じた信号であって、組立て調整用の信号の信号を生成するための第１の検出信号、又は、前記第１の回折光の検出量に応じた情報記録再生用の第２の検出信号を出力し、
前記第２の機能が選択されている場合、前記光検出器は、前記第１の回折光の検出量に応じた信号であって、情報記録再生及びフィードバック制御用の信号を生成するための第３の検出信号を出力し、
前記信号処理回路は、前記第１の検出信号に基づいて前記回折光学素子と前記光検出器との位置関係を調整するための位置調整用制御信号と、前記第２又は第３の検出信号に基づいて前記情報記録再生信号及びサーボ信号と、を生成し、
前記駆動制御部は、前記位置調整用制御信号及び前記サーボ信号に基づいて前記光ピックアップ内の前記回折光学素子と前記光検出器の位置を調整し、前記サーボ信号に基づいてフォーカス制御及びトラッキング制御を実行する、ことを特徴とする光情報記録再生装置。
【請求項１６】
請求項１５において、
前記光検出器は、さらに、複数の情報記録層を有する光記録媒体における非対象層からの反射迷光を検出する第３の光検出部を備え、迷光成分を算出するための第４の検出信号を出力し、
前記信号処理回路は、前記第４の検出信号に基づいて前記迷光成分を算出し、前記情報記録再生信号から前記迷光成分を減算することにより、前記光記録媒体の対象層に起因する情報記録再生信号を生成する、ことを特徴とする光情報記録再生装置。
【請求項１７】
光源からの光を光記録媒体の情報記録層に照射するための対物レンズと、前記光記録媒体からの反射光を複数の光束に分割し、回折させる回折光学素子とであって、第１及び第２の機能を有する回折光学素子と、前記回折光学素子の前記第１及び第２の機能の間で機能を切り替えるための切替素子と、前記回折光学素子によって回折された光束を受光する光検出器と、を有する光ピックアップと、
前記光検出器からの検出信号に基づいて、情報記録再生信号、及び制御信号を生成する信号処理回路と、
前記制御信号に基づいて前記光ピックアップをフィードバック制御する駆動制御部と、を備え、
前記回折光学素子は、前記第１の機能として作用する場合、前記反射光を複数の光束に分割して回折させ、前記第２の機能として作用する場合、前記反射光の中央領域の光を他の領域とは異なる方向に回折させ、
前記光検出器は、
前記第１の機能として作用する場合の前記回折光学素子の０次回折光（第１の回折光）を検出する第１の光検出部と、
前記第２の機能として作用する場合の前記回折光学素子の前記反射光の中央領域の回折光であって、０次以外の回折光（第２の回折光）を検出する第２の光検出部と、
前記第１の機能として作用する前記回折光学素子の０次以外の回折光（第３の回折光）と、前記第２の機能として作用する前記回折光学素子の回折光であって、前記第２の回折光とは回折角が異なる０次以外の回折光（第４の回折光）と、を検出する第３の光検出部と、を備え、
前記第１の機能が選択されている場合、前記光検出器は、前記第１の回折光の検出量に応じた信号であって、組立て調整用の信号の信号を生成するための第１の検出信号、又は、前記第３の回折光の検出量に応じた情報記録再生及びフィードバック制御用の第２の検出信号を出力し、
前記第２の機能が選択されている場合、前記光検出器は、前記第２及び第４の回折光の検出量に応じた信号であって、情報記録再生及びフィードバック制御用の信号を生成するための第３の検出信号を出力し、
前記信号処理回路は、前記第１の検出信号に基づいて前記回折光学素子と前記光検出器との位置関係を調整するための位置調整用制御信号と、前記第２又は第３の検出信号に基づいて前記情報記録再生信号及びサーボ信号と、を生成し、
前記駆動制御部は、前記位置調整用制御信号及び前記サーボ信号に基づいて前記光ピックアップ内の前記回折光学素子と前記光検出器の位置を調整し、前記サーボ信号に基づいてフォーカス制御及びトラッキング制御を実行する、ことを特徴とする光情報記録再生装置。
【請求項１８】
請求項１７において、
前記光検出器は、さらに、複数の情報記録層を有する光記録媒体における非対象層からの反射迷光を検出する第３の光検出部を備え、迷光成分を算出するための第４の検出信号を出力し、
前記信号処理回路は、前記第４の検出信号に基づいて前記迷光成分を算出し、前記情報記録再生信号から前記迷光成分を減算することにより、前記光記録媒体の対象層に起因する情報記録再生信号を生成する、ことを特徴とする光情報記録再生装置。
【請求項１９】
光源からの光を光記録媒体の情報記録層に照射するための対物レンズと、前記光記録媒体からの反射光を複数の光束に分割し、回折させる回折光学素子とであって、第１及び第２の機能を有する回折光学素子と、前記回折光学素子の前記第１及び第２の機能の間で機能を切り替えるための切替素子と、前記回折光学素子によって回折された光束を受光する光検出器と、を有する光ピックアップと、
前記光検出器からの検出信号に基づいて、情報記録再生信号、及び制御信号を生成する信号処理回路と、
前記制御信号に基づいて前記光ピックアップをフィードバック制御する駆動制御部と、を備え、
前記回折光学素子は、前記第１の機能として作用する場合、前記反射光を複数の光束に分割して回折させ、前記第２の機能として作用する場合、前記反射光の中央領域の光を他の領域とは異なる方向に回折させ、
前記光検出器は、
前記第１の機能として作用する場合の前記回折光学素子の０次回折光（第１の回折光）を検出する第１の光検出部と、
前記第２の機能として作用する場合の前記回折光学素子の前記反射光の中央領域の回折光であって、０次以外の回折光（第２の回折光）を検出する第２の光検出部と、
前記第１の機能として作用する前記回折光学素子の０次以外の回折光（第３の回折光）と、前記第２の機能として作用する前記回折光学素子の回折光であって、前記第２の回折光とは回折角が異なる０次以外の回折光（第４の回折光）と、を検出する第３の光検出部と、
複数の情報記録層を有する光記録媒体における非対象層からの反射迷光を検出し、迷光成分を算出するための迷光成分検出信号を出力する第４の光検出部と、を備え、
前記第１の機能が選択されている場合、前記光検出器は、前記第１の回折光の検出量に応じた信号であって、組立て調整用の信号の信号を生成するための第１の検出信号、又は、前記第１及び第３の回折光の検出量に応じた情報記録再生及びフィードバック制御用の第２の検出信号を出力し、
前記第２の機能が選択されている場合、前記光検出器は、前記第２及び第４の回折光の検出量に応じた信号であって、情報記録再生及びフィードバック制御用の信号を生成するための第３の検出信号を出力し、
前記信号処理回路は、前記第１の検出信号に基づいて前記回折光学素子と前記光検出器との位置関係を調整するための位置調整用制御信号と、前記第２又は第３の検出信号に基づいて前記情報記録再生信号及びサーボ信号と、を生成し、前記迷光成分検出信号に基づいて前記迷光成分を算出し、前記情報記録再生信号から前記迷光成分を減算することにより、前記光記録媒体の対象層に起因する情報記録再生信号を生成し、
前記駆動制御部は、前記位置調整用制御信号及び前記サーボ信号に基づいて前記光ピックアップ内の前記回折光学素子と前記光検出器の位置を調整し、前記サーボ信号に基づいてフォーカス制御及びトラッキング制御を実行する、ことを特徴とする光情報記録再生装置。